(57)【要約】【課題】  複数種類の物品を収容する箱であって、一方の物品を収容した後にユーザーの都合の良いタイミングで他方の物品を収容することが出来る箱の提供。【解決手段】  箱本体（１０）と、第１の収容部（２０）と、第２の収容部（３０）を有し、箱本体（１０）は直方体に形成され、その頂面（１）及び連続する１側面（５）に亘って（切断可能な）切断線（ＣＴＬ）が形成され、他の１側面（４）は開閉可能に構成されている。【選択図】図１０
2020050424.tif 000002
【特許請求の範囲】
【請求項１】
箱本体と、第１の収容部と、第２の収容部を有し、
箱本体は直方体に形成され、その頂面及び連続する１側面に亘って切断線が形成された箱本体開放部を備え、他の１側面は開閉可能に構成されており、
第１の収容部及び第２の収容部は箱本体の底面と他の面で囲まれ、当該他の面は展開した状態では単一の平板状部材で構成されており、
第１の収容部は開口部を有し、当該開口部に収容するべき物品を保持する様に構成されており、
第２の収容部は平面部と複数の側面で構成され、異なる２箇所の側面が開放可能に構成されており、当該開放可能な２箇所の側面の一方は箱本体の前記箱本体開放部と重畳し、他の側面は箱本体の開放可能な側面と重畳することを特徴とする箱。
【請求項２】
第２の収容部の前記複数の側面は３面あり、当該３側面が箱本体の底面に垂直に延在して配置され、箱本体開放部と重畳する領域における残り１側面に相当する部分は開口となっている請求項１に記載の箱。
【請求項３】
第２の収容部の前記複数の側面は４面あり、３側面が箱本体の底面に垂直に延在して配置され、箱本体開放部と重畳する領域における残り１側面に相当する部分は補強用部材で構成されている請求項１に記載の箱。
【請求項４】
第２の収容部は、展開した状態で箱本体に接続されている請求項１〜３の何れか１項に記載の箱。
【請求項５】
請求項１〜４の何れかに１項に記載の箱の使用方法において、
第１の収容部の開口部に収容するべき第１の物品を保持する工程と、
収容するべき第２の物品を第２の収容部に収納せずに第１の収容部、第２の収容部、箱本体を組み立てる工程と、
第１の収容部、第２の収容部、箱本体を組み立てた後、箱本体の前記箱本体開放部ではない側の開閉可能な側面及び第２の収容部の前記箱本体開放部と重畳しない開放可能な側面を介して、収容するべき第２の物品を第２の収容部に収容する工程を含むことを特徴とする使用方法。
【請求項６】
箱本体の切断線を切断し、切断線で囲まれた箱本体開放部を開放する工程と、
箱本体開放部及び第２の収容部の前記箱本体開放部と重畳する側面を介して、前記第２の物品を取り出す工程を含む請求項５の使用方法。
【発明の詳細な説明】
【技術分野】
【０００１】
本発明は各種物品（例えば、化粧品のサンプル、伝票やパンフレット等）を運搬する際に用いられる箱に関し、より詳細には、例えば化粧品のサンプルと、その伝票やパンフレット等を別々な個所に収容して、（宅配便や郵便等で）配送するのに用いられる（例えば紙製の）箱に関する。
【背景技術】
【０００２】
例えば化粧品のサンプルは、その伝票やパンフレット等（以下「伝票等」と記載する）と同一の容器で配送することが好都合である。その様な化粧品のサンプル及び伝票等を配送するための容器として、例えば紙製の箱が用いられる。
ここで、化粧品のサンプルと伝票等は同時に箱詰めされない場合が多く、予めサンプルを収容した後、発送直前に伝票等を箱詰めするという場合が多い。換言すれば、箱にサンプルを収容（セット）して、その後、ユーザーに都合の良いタイミングで（例えば、発送直前に）伝票等を容易に箱詰めしたい、という要請が存在する。
【０００３】
従来は、サンプルを収容する際に、伝票等をサンプルに重ねる態様で箱詰めしていた。そのため箱内ではサンプルが伝票等の下層に位置してしまい、箱を開けた時には、伝票等を取り除かないとサンプルが見えない状態となってしまうという問題が存在する。
また、係る方法では、箱にサンプルを収容（箱詰め）した後、ユーザーの都合の良いタイミングで、伝票等を容易に箱内に収容（箱詰め）することは出来ない。
【０００４】
その他の従来技術としては、カセットテープと小冊子を簡単に体裁よく収容する紙箱が提案されているが（特許文献１参照）、何れか一方を箱内に収容した後に、ユーザーの都合の良いタイミングで他方を箱内に容易に収容することは出来ない。
また、電子機器と説明冊子をそれぞれ独立して収容することが出来る紙箱も提案されているが（特許文献２参照）、やはり、何れか一方を箱内に収容した後に、ユーザーの都合の良いタイミングで他方を箱内に容易に収容することは出来ない。
【先行技術文献】
【特許文献】
【０００５】
【特許文献１】実公昭６３−３３７９９号公報
【特許文献２】特許第２５１４５６２号公報
【発明の概要】
【発明が解決しようとする課題】
【０００６】
本発明は上述した従来技術の問題点に鑑みて提案されたものであり、複数種類の物品を収容する箱であって、一方の物品を収容した後にユーザーの都合の良いタイミングで他方の物品を収容することが出来、さらに、できるだけ薄くなるような設計とすることで大量に一時保管出来る箱の提供を目的としている。
【課題を解決するための手段】
【０００７】
本発明の箱（１００）は、箱本体（１０）と、第１の収容部（２０）と、第２の収容部（３０）を有し、
箱本体（１０）は直方体に形成され、その頂面（１）及び連続する１側面（５）に亘って（切断可能な）切断線（ＣＴＬ）が形成された箱本体開放部（ＯＰ）を備え、他の１側面（４）は開閉可能に構成されており、
第１の収容部（２０）及び第２の収容部（３０）は箱本体（１０）の底面（２）と他の面（頂面１、前面５、後部内面６、２箇所の側面１１ｂ）で囲まれ、当該他の面（１、５、６、１１ｂ、１１ｂ）は展開した状態では単一の平板状部材で構成されており、
第１の収容部（２０）は開口部（２５、２６、２７）を有し、当該開口部（２５、２６、２７）に収容するべき物品（サンプル等）を保持する様に構成されており、
第２の収容部（３０）は平面部（３１）と複数の側面（３２、３３、３３、３４）で構成され、異なる２箇所の側面（３３、３４）が開放可能に構成されており、当該開放可能な２箇所の側面（３３、３４）の一方（３４）は箱本体（１０）の箱本体開放部（ＯＰ）と重畳し、他の側面（３３）は箱本体（１０）の開放可能な側面（１１ａ）と重畳することを特徴としている。
【０００８】
本発明の箱（１００）において、第２の収容部（３０）の前記複数の側面（３２、３３、３３）は、箱本体（１０）の底面（２）に垂直に延在して配置され、箱本体開放部（ＯＰ）と重畳する領域における残り１側面（３４）に相当する部分は開口となっているのが好ましい。
或いは、本発明の箱（１００Ａ）において、第２の収容部（３０Ａ）の前記複数の側面は４面（３２、３３、３３、３５）あり、３側面が箱本体（１０）の底面（２）に垂直に延在して配置され、箱本体開放部（ＯＰ）と重畳する領域における残り１側面（３４）に相当する部分は補強用部材（例えばフランジ状の潰れ防止用補強材３５）で構成されているのが好ましい。
さらに本発明において、第２の収容部（３０Ｄ、３０Ｅ）は、展開した状態で箱本体（１０Ａ、１０Ｂ）に接続されている（図１６、図１７）のが好ましい。
【０００９】
本発明の箱の使用方法は、上述した本発明の箱（請求項１〜４の何れかに１項に記載の箱）の使用方法において、
第１の収容部（２０）の開口部（２５、２６、２７）に収容するべき第１の物品（例えば、化粧品のサンプル）を保持する工程と、
収容するべき第２の物品（Ｂ：例えば、化粧品の伝票やパンフレット等）を第２の収容部（３０）に収納せずに第１の収容部（２０）、第２の収容部（３０）、箱本体（１０）を組み立てる工程と、
第１の収容部（２０）、第２の収容部（３０）、箱本体（１０）を組み立てた後、（例えば、第１の物品を収容した箱１００を発送する直前に）、箱本体（１０）の前記箱本体開放部（ＯＰ）ではない側の開閉可能な側面（１１ａ）及び第２の収容部（３０）の前記箱本体開放部（ＯＰ）と重畳しない開放可能な側面（３３）を介して、収容するべき第２の物品（Ｂ）を第２の収容部に収容する工程を含むことを特徴としている。
【００１０】
また、本発明の箱の使用方法において、
箱本体（１０）の切断線（ＣＴＬ）を切断し、切断線（ＣＴＬ）で囲まれた箱本体開放部（ＯＰ）を開放する工程と、
箱本体開放部（ＯＰ）及び第２の収容部の前記箱本体開放部（ＯＰ）と重畳する側面（３４）を介して、前記第２の物品（Ｂ）を取り出す工程を含むのが好ましい。
【発明の効果】
【００１１】
上述の構成を具備する本発明の箱によれば、第１の収容部（２０）の開口部（２５、２６、２７）に収容するべき第１の物品（例えば、化粧品のサンプル）を保持し、箱本体（１０）の前記箱本体開放部（ＯＰ）ではない側の開閉可能な側面（１１ａ、１１ｂ）及び第２の収容部の前記箱本体開放部（ＯＰ）と重畳しない開放可能な側面（３３）を介して、収容するべき第２の物品（Ｂ：例えば伝票等）を第２の収容部（３０）に収容するので、収容するべき第１の物品（例えば、化粧品のサンプル）と、収容するべき第２の物品（Ｂ：例えば伝票等）を箱内の別個の箇所に収容することが出来る。
そして、第１の物品（例えば、化粧品のサンプル）を第１の収容部（２０）の開口部（２５、２６、２７）に保持し、収容するべき第２の物品（Ｂ：例えば伝票等）を第２の収容部（３０）に収容するので、第１の物品が第２の物品の下層に位置することはなく（第２の物品を第１の物品情報に積み重ねることがなく）、箱開放時には直ちに第１の物品を視認することが出来る。
【００１２】
また本発明の箱によれば、第１の収容部（２０）の開口部（２５、２６、２７）に収容するべき第１の物品（例えば、化粧品のサンプル）を保持し、収容するべき第２の物品（Ｂ：例えば化粧品の伝票等）を第２の収容部（３０）に収納せずに、第１の収容部（２０）、第２の収容部（３０）、箱本体（１０）を組み立て、その後、例えば、箱（１００）を発送する直前に、箱本体（１０）の開放部（ＯＰ）ではない側の開閉可能な側面（１１ａ、１１ｂ）及び第２の収容部の前記箱本体開放部（ＯＰ）と重畳しない開放可能な側面（３３）を介して、収容するべき第２の物品（Ｂ）を第２の収容部（３０）に収容することが出来るので、箱本体（１０）の組立後に、ユーザーにとって都合の良いタイミングで、収容するべき第２の物品（Ｂ）を第２の収容部（３０）に収容することが出来る。
第１の物品（例えば、化粧品のサンプル）及び第２の物品（Ｂ：例えば、化粧品の伝票等）を収容した箱（１００）を発送した後、箱本体（１０）の切断線（ＣＴＬ）を切断し、切断線（ＣＴＬ）で囲まれた箱本体開放部（ＯＰ）を開放すれば、第１の物品を視認できる状態であるため、直ちに第１の収容部（２０）の開口部から取り出すことが出来る。
一方、第２の物品については、箱本体開放部（ＯＰ）を開放すれば、箱本体開放部（ＯＰ）及び第２の収容部（３０）の前記箱本体開放部（ＯＰ）と重畳する側面（３４）を介して、取り出すことが出来る。
【００１３】
本発明において、第２の収容部（３０）の前記他の側面は３面（３２、３３、３３）あり、当該３側面（３２、３３、３３）が箱本体の底面（２）に垂直に延在して配置され、箱本体開放部（ＯＰ）と重畳する領域における残り１側面に相当する部分（３４）は開口となっていれば、箱本体開放部（ＯＰ）を開放した際に、当該開口（３４）を介して第２の物品を容易に取り出すことが出来る。
ここで、前記残り１側面に相当する部分（３４）を開口とした場合には、第２の収容部（３０）の第２の物品を収容しない状態で箱（１００）を組み立て、当該組み立てられた箱（１００）を積層すると、その重量により、当該残り１面の部分（開口）に相当する箇所（３４）が潰れてしまう可能性がある。
それに対して、前記残り１面（３４：開口を構成する部分）を補強用部材（例えばフランジ状の潰れ防止用補強材３５）で構成すれば、組み立てられた箱を積層しても、その重量を補強用部材（３５）が支持するので、前記残り１面（３４）の部分に相当する箇所が潰れてしまうことが防止される。
【００１４】
さらに本発明において、第２の収容部（３０Ｄ、３０Ｅ）が展開した状態で箱本体（１０Ａ、１０Ｂ）に接続されていれば、箱組立前の段階における部品点数を減少して、管理の労力を大幅に軽減することが出来る。
【図面の簡単な説明】
【００１５】
【図１】本発明の第１実施形態に係る箱本体の展開図である。
【図２】第１実施形態における第１の収容部の展開図である。
【図３】図２の展開状態を立体状態に組み立てた状態を示す斜視図である。
【図４】第１実施形態における第２の収容部の展開図である。
【図５】第１実施形態において、箱本体の組み立て初期の状態を示す工程図である。
【図６】箱本体の組み立てにおいて、図５の次の工程を示す工程図である。
【図７】箱本体の組み立てにおいて、図６の次の工程を示す工程図である。
【図８】図７の次の工程であって、箱本体に第１の収容部を組み込む工程を示した工程図である。
【図９】図８の次の工程を示す工程図である。
【図１０】図９の次の工程を示す工程図である。
【図１１】第１実施形態において、組み立てた箱に第２の収容物を収容する以前の状態を示す説明図である。
【図１２】組み立てた箱に第２の収容物を収容する様子を示す説明図である。
【図１３】箱本体の組み立て最終工程を示す工程図である。
【図１４】第１実施形態において、箱の切断線を破り、開放部を開いた状態を示す斜視図である。
【図１５】本発明の第２実施形態における第２の収容部の展開図である。
【図１６】本発明の第３実施形態における箱本体の展開図である。
【図１７】本発明の第４実施形態における箱本体の展開図である。
【発明を実施するための形態】
【００１６】
以下、添付図面を参照して、本発明の実施形態について説明する。
先ず、図１〜図１１を参照して、第１実施形態について説明する。
図９〜図１１において、第１実施形態に係る箱は、全体に符号１００を付して示されている。
図９、図１０で示す様に、箱１００は、箱本体１０と、第１の収容部２０（図２、図３参照）と、第２の収容部３０（図４参照）を有している。
【００１７】
箱本体１０の展開状態を示す図１において、箱本体１０は、中心線Cに対して概略対称形である。明確には図示されていないが、箱本体１０の材料として厚紙が使用されている。
図１においては、図示の簡略化のため、中心線Ｃに対して上下双方に設けられている部位の符号（上下共通の部位の符号）は、上下の何れかのみ示されている。
図１において、破線は折り曲げ線を示しており、折り曲げ線を示す符号の末尾に大文字の「Ｌ」が付されている。ここで、折り曲げ線８Ｌのみが山折の折り曲げ線（紙面の裏側に折り曲げられる折り曲げ線）であり、残りの折り曲げ線は谷折の折り曲げ線（紙面の表側に折り曲げられる折り曲げ線）である。
【００１８】
図１において、箱本体１０は矩形の頂面１と、矩形の底面２と、矩形の第１の収容部保持面３を有しており、第１の収容部保持面３は、第１の収容部２０を保持する様に構成されている。図１で示す様に、第１の収容部保持面３には、図１の上下方向に延在して、大きな開口部９が形成されている。
矩形の頂面１と矩形の底面２との間には、箱１００として組み上がった際に前面となる前面５が設けられている。
【００１９】
矩形の頂面２と第１の収容部保持面３との間には、組み上がった際に後面４と重畳する後部内面６が形成されている。後面４は、頂面１の底面２から離隔する側（図１では左方）において、折り曲げ線１１ＬＬを介して形成されており、頂面１と同一の幅寸法（図１における上下寸法）を有している。
頂面１の側縁（図１における上下方向縁部の２箇所）には、折り曲げ線１１ｓＬを介して、側面１１ａが形成されている。
図１では、図１における下側の側面１１ａには切断線１１ａａが形成されており、切断線１１ａａにより２つの領域に二分されている。
【００２０】
頂面１には、切断線ＣＴＬ（例えばミシン目で構成）が形成されている。切断線ＣＴＬは、頂面１において、前面５との境界に設けられた折り曲げ線１１ＲＬから、後面４との境界に至る領域に形成されている。そして、折り曲げ線１１ＲＬと切断線ＣＴＬで囲まれた領域および前面５は、箱本体開口部ＯＰを構成している。
箱１００が組み立てられた状態において、箱本体開口部ＯＰは、折り曲げ線１１ＲＬを回動軸として、図１における紙面の後方（裏面側）に開口し、折り曲げ線２ＬＬを回動軸としてさらに大きく開口する。
【００２１】
後面４には、縁部から突出する様に２箇所の舌状部４ｔが形成されている。
側面１１ａの各々における縁部においても、それぞれ２箇所ずつ、舌状部１１ａｔ、１１ａＴが形成されている。舌状部１１ａｔ、１１ａＴは、その長手方向寸法（図１における左右方向寸法）が異なっている。
舌状部４ｔと後面４との間には折り曲げ線４ｔＬが形成されており、舌状部１１ａｔと側面１１ａとの間には折り曲げ線１１ａｔＬが形成されており、舌状部１１ａＴと側面１１ａとの間には折り曲げ線１１ａＴＬが形成されている。
【００２２】
前面５と底部２の境界には、折り曲げ線２ＬＬが形成されている。
底面２の図１における上下端部は、折り曲げ線２ｓＬを介して側面１１ｂおよび側面１１ｃと連続している。側面１１ｂおよび側面１１ｃは、切断線１１ｂｃによって分断されている。側面１１ｃにおいて、隣接する側面１１ｂよりも突出した部分は、折り曲げ線１１ｃＬを介して舌状部１１ｃｔを構成している。換言すれば、側面１１ｃの図１における上下方向に突出した領域は、舌状部１１ｃｔを構成している。
折り曲げ線２ｓＬにおいて、側面１１ｂの領域にはスリット１２ｂが形成され、側面１１ｃの領域にはスリット１２ａが形成されている。箱１００を組み立てる際には、図１の矢印Ｙ１１Ｔで示す様に、スリット１２ｂには舌状部１１ａＴが挿入される。そして図１の矢印Ｙ１１ｔで示す様に、スリット１２ａには舌状部１１ａｔが挿入される。
【００２３】
底面２と後部内面６との境界には、折り曲げ線２ＲＬが形成されている。折り曲げ線２ＲＬ上の２箇所にはスリット１４、１４が形成され、箱１００を組み立てる際には、図１の矢印Ｙ４で示す様に、スリット１４、１４には舌状部４ｔ、４ｔが挿入される。
後部内面６の縁部（図１における上下方向両縁部）には、折り曲げ線１３Ｌを介して、矩形部材１３が連続している。そして後部内面６と第１の収容部保持面３の間には、折り曲げ線６Ｌが形成されている。
第１の収容部保持面３において、後部内面６から離隔する側（図１の右側）には、折り曲げ線７Ｌを介して箱内仕切り部材７が隣接している。箱内仕切り部材７において、第１の収容部保持面３から離隔する側（図１の右側）には、折り曲げ線８Ｌを介して支持面８が隣接している。支持面８は、箱１００を組み立てた際に底面２と面接触して、第１の収容部２０を安定して支持する。なお、箱内仕切り部材７は、箱１００を組み立てた際に、図１の長手方向について、箱内の第１の収容部２０と第２の収容部３０を仕切る機能を奏する。
【００２４】
次に、図２、図３を参照して第１の収容部２０を説明する。
第１の収容部２０が展開した状態を示す図２において、点線で示す折り曲げ線は全て同一方向に平行に延在しており、当該折り曲げ線により、第１の収容部２０は７つの領域２１、２２ａ、２２ｂ、２３ａ、２３ｂ、２４ａ、２４ｂに区画されている。
図２において、２本の折り曲げ線２１Ｌは谷折り（紙面の裏側に折り曲げられる折り曲げ線）であり、２本の折り曲げ線２３ａＬおよび２本の折り曲げ線２３ｂＬは山折り（紙面の表側に折り曲げられる折り曲げ線）である。また、折り曲げ線２３ａＬ、２３ｂＬを山折りした際、紙面の表側に飛び出し部ができるようにスリット２３ａａ、２３ｂｂが設けられている。この飛び出し部により、第１の収容部２０を箱本体１０に挿入した際、第１の収容部保持面３（図１）と領域２３ａ、２３ｂとの間に空間を作りつつ、第１の収容部保持面３が潰れるのを防ぐことができる。これにより、第１の商品（化粧品サンプル等）に厚みがある場合でも、大きな開口部９を通して第１の商品（化粧品サンプル等）が第１の収容部保持面３よりも高い位置に来ることを防ぐことができ、箱１００の厚み（直方体に形成された箱１００の各辺で最も短い辺の長さ：箱１００を組み立てたときの頂面１と底面２の間の幅寸法）を抑えることができる。ここで、箱１００の厚みは、５ｃｍ以下が好ましく、３ｃｍ以下がより好ましい。
【００２５】
図２における符号２１は箱本体１０の底部２に接する中央底部の領域を示している。符号２２ａおよび符号２２ｂは、共に中央底部２１に隣接する側壁部の領域であり、その幅寸法（図２における上下方向の幅寸法）が等しい。
２本の折り曲げ線２１Ｌ、２本の折り曲げ線２３ａＬ、２本の折り曲げ線２３ｂＬの折り曲げ作業が完了した状態（図３）では、符号２３ａおよび符号２３ｂで示す領域は、共に上面部となる。そして符号２４ａおよび符号２４ｂで示す領域は最外方の側壁部となる。ここで、側壁部２４ａ、２４ｂの幅寸法（図２における上下方向幅寸法）は、側壁部２２ａ、２２ｂの幅寸法（図２における上下方向幅寸法）と等しい。
【００２６】
図２及び図３において、切抜き部２５ａと切抜き部２５ｂは空間２５を構成し、切抜き部２６ａと切抜き部２６ｂは空間２６を構成し、切抜き部２７ａと切抜き部２７ｂは空間２７を構成する。
空間２５、２６、２７には、それぞれ形状の異なる三つのサンプルが、その外周が空間２５、２６、２７に完全に密着するように収容される。
【００２７】
次に、図４を参照して第２の収容部３０を説明する。
図４において、第２の収容部３０は、１辺が平皿状の切欠きとして形成された矩形状の平面部３１と、平面部３１の図４における上下両縁に折り曲げ線３３Ｌを介して隣接する側面３３、３３と、平面部３１の前記切欠きの反対側（図４における右方）に折り曲げ線３２Ｌを介して隣接する後面３２を有している。
本明細書においては、平面部３１における平皿状の切欠きを、第２の収容部３０の１側面３４と同一の符号で表記する場合がある。
【００２８】
第２の収容部３０を箱本体１０に組み込む際には、側面３３、３３は折り曲げ線３３Ｌ、３３Ｌにおいて、平面部３１に対して山折で直角に折込まれ、後面３２は折り曲げ線３２Ｌで平面部３１に対して山折で直角に折込まれる。
側面３３、３３の上下外方側中央部に切欠き３９が形成されている。
側面３３、３３と、後面３２の幅寸法は等しいため、折り曲げた場合（第２の収容部３０を組み立てた場合）、側面３３、３３と、後面３２の高さ寸法は等しくなる。
【００２９】
次に、図５〜図１３を参照して、第１実施形態に係る箱１００を組み立てる手順について説明する。
箱本体１０の第１の収容部２０に相当する部分を示す図５において、第１の収容部保持面３を紙面に対して垂直に立ち上げるため、まず、折り曲げ線８Ｌで支持面８を山折りする（紙面の裏面側に折り込む）。
ついで、折り曲げ線７Ｌで紙面上方に谷折りする（紙面の表面側に折り込む）。
それに続いて、折り曲げ線６Ｌで谷折りする。
【００３０】
次に、折り曲げ線２ＲＬ（図５参照）を谷折りして、図６で示す様に、第１の収容部保持面３と底面２が平行となる様にせしめる。ここで、底面２と支持面８を貼り付ける場合、両者を貼り合わせられるものであれば何を用いてもよいが、接着材を添加して貼り合わせるのが好ましい。
ここで、展開状態（図４で示す状態）の第２の収容部３０において、２箇所の側面３３と後面３２を、平面部３１に対して直角となるように山折に折り込んでおく。
そして図７で示す様に、側面３３、３２が折り込まれた状態の第２の収容部３０の後面３２を、箱内仕切り部７に当接する様に配置させる。
【００３１】
ここで、図７における矢印Ｙｏは、箱１００を受領した顧客が、第２の物品Ｂ（例えば伝票等）を第２の収容部３０から引き出す方向を示している。
また、矢印Ｙｐについては第２実施形態に関連して後述するが、組み立てられた箱１００が複数積み重ねられた際に、複数の箱１００の重量が作用する方向である。
【００３２】
次に図８で示す様に、第１の収容部保持面３の内側に、図３で示す状態に組み立てられた第１の収容部２０を挿入する。
次に図９で示す様に、箱本体１０の折り曲げ線１１ＲＬを谷折する。そして図１０において、折り曲げ線２ＬＬを谷折する。
図５〜図１３において、山折り、谷折りという文言は、図１（展開図）で説明された定義に基づいて使用されている。
なお、図示は省略するが、第１の収容部２０の開口部２５、２６、２７には、対応する形状の第１の商品（化粧品サンプル等）が収容される。ここで、第１の商品（化粧品サンプル等）は、第１の収容部２０を箱本体１０に挿入する以前の段階で、開口部２５、２６、２７に収容しても良いし、第１の収容部２０を箱本体１０に挿入した後に、大きな開口部９を通して開口部２５、２６、２７に収容しても良い。
【００３３】
図１０で示す折り曲げ線２ＬＬにおける谷折りは、図１１で示す様に、頂面１が底面２と平行になるまで折り曲げられる。その際に、舌状部４ｔが折り曲げ線４ｔＬで谷折りされて、スリット１４内に挿入される。
また図１１で示す手順では、舌状部１１ａｔと片方の舌状部１１ａＴが、それぞれ折り曲げ線１１ａｔＬ、１１ａＴＬ（図１参照）で谷折りされて、それぞれスリット１２ａ、１２ｂ内に挿入される。
【００３４】
図１１の手順が完了した時点で、第１の物品（サンプル等）は第１の収容部２０に収容されてはいるが、第２の物品Ｂ、例えば伝票や説明書は第２の収容部３０には収容されていない。
第２の物品Ｂである伝票や説明書等における情報が、第１の物品であるサンプルを収容した時点における情報と異なっている場合が多いことに起因する。
図１１の状態で、第１の物品（サンプル等）は第１の収容部２０に収容され密封されており、この状態で箱１００を保管しておくことが可能である。
【００３５】
図１２で示す様に、スリット１２ｂ（図１３参照）に挿入されていない舌状部１１ａＴおよび該舌状部に隣接する側面１１ａを頂面１と概略面一となるように起こし、さらに、該側面１１ａと重畳する側面３３（図４参照：第２の収容部３０の側面）の切欠き３９を作業者が係止して、第２の収容部３０の側面３３を側面１１ａおよび舌状部１１ａＴと概略平行となる様に引き起こす。
これにより、箱１００の側面１１ａ及び第２の収容部３０の側面３３が開口し、第２の物品Ｂ（たとえばサンプルの伝票）を第２の収容部３０内に収容することができる。
第２の物品Ｂを第２の収容部３０内に収容した後は、上述した手順を逆に実行し、舌状部１１ａＴを折り曲げ線１１ａＴＬ（図１参照）で谷折りして、スリット１２ｂ内に挿入することで、図１３で示す様に箱１００の側面１１ａが閉鎖している状態となり、箱１００の発送準備が完了する。
【００３６】
図１４は、箱１００の頂面１に設けた切断線ＣＴＬを破り、開口部ＯＰを開放して、内部を確認可能な状態を示している。図１４において、切断線ＣＴＬを切断して開口部ＯＰを開口した後において、切断線ＣＴＬによって囲まれた領域を蓋体ＯＰＰとして表示している。
第２の物品Ｂ（伝票等）は第２の収容部３０に収容されているが、切断した切断線ＣＴＬによって囲まれた領域である蓋体ＯＰＰを矢印Ｙ方向へ回動して、開口部ＯＰをさらに大きく開くことにより、第２の収容部３０の切欠き３４側から第２の物品Ｂを取り出すことが出来る。
一方、第１の収容部２０に収容されている第１の物品（サンプル等）は、第２の収容部３０と並列して配置されているため、開口部ＯＰを開封するのと同時に視認が可能である。
【００３７】
第１実施形態の箱１００によれば、第１の収容部２０の開口部２５、２６、２７に収容するべき第１の物品（例えば、化粧品のサンプル等）を安定的に保持し、箱本体１０の前記箱本体開放部ＯＰではない側の開閉可能な側面１１ａ及び第２の収容部３０の箱本体開放部ＯＰと重畳しない開放可能な側面３３を介して、収容するべき第２の物品Ｂ（例えば、伝票等）を第２の収容部３０に収容するので、収容するべき第１の物品（例えば、化粧品のサンプル）と、収容するべき第２の物品Ｂ（例えば、伝票等）を箱内に収容することが出来る。
そして、第１の物品（例えば、化粧品のサンプル）を第１の収容部２０の開口部２５、２６、２７に保持し、収容するべき第２の物品Ｂ（例えば、伝票等）を第２の収容部３０に収容するので、第１の物品が第２の物品Ｂの下層に位置することはなく、箱１００の開放時には直ちに第１の物品を視認することが出来る。
【００３８】
第１実施形態の箱１００によれば、第１の収容部２０の開口部２５、２６、２７に収容するべき第１の物品（例えば、化粧品のサンプル）を保持し、収容するべき第２の物品Ｂ（例えば、化粧品の伝票等）を第２の収容部３０に収納せずに、第１の収容部２０、第２の収容部３０、箱本体１０を組み立てる。その後、例えば、第１の物品と第２の物品Ｂを収容した箱１００を発送する直前に、箱本体１０の前記箱本体開放部ＯＰではない側の開閉可能な側面１１ａ及び第２の収容部の前記箱本体開放部ＯＰと重畳しない開放可能な側面３３を介して、収容するべき第２の物品Ｂを第２の収容部３０に収容するので、箱本体１０の組立後に、ユーザーにとって都合の良いタイミングで収容するべき第２の物品Ｂを第２の収容部３０に収容することが出来る。さらに、箱１００の厚みを薄くできる設計であるため、第１の物品（例えば、化粧品のサンプル）を収容し保管する際に、嵩張らないため大量に保管することが出来、配送時の労力も低減させることが出来る。
そして、箱本体の切断線ＣＴＬを切断し、切断線ＣＴＬで囲まれた箱本体開放部ＯＰを開放すれば、第１の物品を視認できる状態であるため、直ちに第１の収容部の開口部から取り出すことが出来る。
一方、第２の物品Ｂについては、箱本体開放部ＯＰを開放すれば、箱本体開放部ＯＰ及び第２の収容部３０の前記箱本体開放部と重畳する側面３４を介して、取り出すことが出来る。また、第２の収容部３０の平面部３１に各種情報を印刷しておくことにより、箱本体開放部ＯＰを開放すれば該情報を視認できる状態であるため、直ちに該情報を確認することが出来る。
【００３９】
第１実施形態において、第２の収容部３０の前記複数の側面は３面（３２、３３、３３）有り、当該３側面（３２、３３、３３）が箱本体の底面２に垂直に延在して配置され、箱本体開放部ＯＰと重畳する領域における残り１側面に相当する部分（切欠き）３４は開口となっていれば、箱本体開放部ＯＰを開放した際に、当該開口３４を介して第２の物品を容易に取り出すことが出来る。
【００４０】
次に、図１５を参照して、本発明の第２実施形態を説明する。
第２実施形態は、第１実施形態に対して、第２の収容部３０Ａの構成のみが異なっている。なお、第２実施形態に係る箱全体の図示は省略されている。
【００４１】
第１実施形態の箱１００における第２の収容部３０では、側面（切欠き）３４を開口としているため、第２の収容部３０に第２の物品Ｂを収容しない状態で第１実施形態に係る箱１００を組み立て、当該組み立てられた箱１００を積層すると、積層された箱１００の重量（図７において矢印Ｙｐで示す外力）により、第２の収容部３０の側面３４（切欠き）における箇所が潰れてしまう可能性がある。
図１５において、第２実施形態における第２の収容部３０Ａは、図１５の左端（第１実施形態の開口３４に対応する部分）に、折り曲げ線３５Ｌで山折りすることにより、フランジ状の潰れ防止用補強材３５を形成する。
補強用部材３５の縁部には、大きな半円弧状の切欠き３６と、小さな半円弧状の切欠き３７が形成されている。係る切欠き３６、３７は、第２の物品Ｂを第２の収容部３０Ａ内から取り出す際に、フランジ状の潰れ防止用補強材３５を引き起こし易くするために形成されている。
【００４２】
図示の第２実施形態によれば、第２の物品Ｂを収容しない状態で箱を組み立て、当該組み立てられた箱を複数積層した場合でも、フランジ状の潰れ防止用補強材３５が積層された箱の重量（図７の矢印Ｙｐ参照）を支持するため、第２の収容部３０Ａ及び箱が潰れてしまうことが防止される。
第２実施形態のその他の構成及び作用効果は、第１実施形態の構成及び作用効果と概略同等である。
【００４３】
次に図１６を参照して、本発明の第３実施形態について説明する。
第３実施形態（組み立てられた状態の図示を省略）では、図１６で示す箱本体１０Ａを展開した状態で、箱本体１０Ａの側面１１ｂＡに、折り曲げ線１１ｂＡＬを介して第２の収容部３０Ｄが接続されている。
箱本体１０Ａが展開した状態で、第２の収容部３０Ｄが箱本体１０Ａに接続されているので、箱組立前の段階における部品点数を減少させて、部品管理の労力を大幅に軽減させることが出来る。
第３実施形態のその他の構成及び作用効果は、第１実施形態の構成及び作用効果と概略同等である。
【００４４】
次に図１７を参照して、本発明の第４実施形態について説明する。
第４実施形態（組み立てられた状態の図示を省略）では、図１７で示す箱本体１０Ｂを展開した状態で、箱本体１０Ｂの側面１１ｂＡに、折り曲げ線１１ｂＡＬを介して第２の収容部３０Ｅが一体に接続されている。
ここで、第２の収容部３０Ｅは、第２実施形態における第２の収容部３０Ａ（図１５参照）と概略同様であり、第１実施形態の開口３４に対応する部分にフランジ状の潰れ防止用補強材３５を形成し、組み立てられた箱を複数積層した場合でも、積層された箱の重量（図７の矢印Ｙｐ参照）がフランジ状の潰れ防止用補強材３５が支持して、第２の収容部３０Ｅが潰れてしまうことを防止している。
そして第４実施形態では、第２の収容部３０Ｅが展開した状態で箱本体１０Ｂに接続されているので、箱組立前の段階における部品点数を減少させて、部品管理の労力を大幅に軽減させることが出来る。
第４実施形態のその他の構成及び作用効果は、第２実施形態の構成及び作用効果と概略同等である。
【００４５】
図示の実施形態はあくまでも例示であり、本発明の技術的範囲を限定する趣旨の記述ではないことを付記する。
【符号の説明】
【００４６】
１・・・頂面
２・・・底面
３・・・第１の収容部保持面
４・・・後面
５・・・前面
６・・・後部内面
７・・・箱内仕切り部材
８・・・支持面
１０、１０Ａ、１０Ｂ・・・箱本体
１１ａ、１１ｂ・・・スリット
１１ａｔ、１１ａＴ・・・舌状部
２０・・・第１の収容部
３０、３０Ａ、３０Ｄ、３０Ｅ・・・第２の収容部
１００・・・箱
【図１】
2020050424.tif 000003
【図２】
2020050424.tif 000004
【図３】
2020050424.tif 000005
【図４】
2020050424.tif 000006
【図５】
2020050424.tif 000007
【図６】
2020050424.tif 000008
【図７】
2020050424.tif 000009
【図８】
2020050424.tif 000010
【図９】
2020050424.tif 000011
【図１０】
2020050424.tif 000012
【図１１】
2020050424.tif 000013
【図１２】
2020050424.tif 000014
【図１３】
2020050424.tif 000015
【図１４】
2020050424.tif 000016
【図１５】
2020050424.tif 000017
【図１６】
2020050424.tif 000018
【図１７】
2020050424.tif 000019